【手続補正書】
【提出日】平成21年8月31日(2009.8.31)
【手続補正１】
【補正対象書類名】特許請求の範囲
【補正対象項目名】全文
【補正方法】変更
【補正の内容】
【特許請求の範囲】
【請求項１】
保管部に設定されたイベントに基づき特定の機能処理情報に従う機能処理を実行可能な画像形成装置であって、
前記保管部に設定された特定の機能処理情報を更新する機能処理情報を設定する設定手段と、
前記設定手段により更新すべき機能処理情報が設定された場合に、前記特定の機能処理が設定された前記保管部にデータが存在するかどうかを判断する判断手段と、
前記判断手段が前記保管部にデータが存在すると判断した場合に、前記更新すべき機能処理情報に基づいて前記保管部に設定されていた特定の機能処理を更新せず、前記判断手段により前記保管部に情報が残存していないと判断された場合、前記更新すべき機能処理情報に基づいて前記保管部に設定されていた特定の機能処理を更新する更新手段と、
を備えることを特徴とする画像形成装置。
【請求項２】
前記判断手段が前記保管部にデータが存在すると判断した場合、前記更新すべき機能処理情報を前記保管部内のデータ移動または削除されるまで保持する要求保持手段と、
前記判断手段により前記保管部に情報が残存していないと判断された場合、前記要求保持手段に保持された前記更新すべき機能処理情報に基づいて前記保管部に設定されていた特定の機能処理を前記更新手段が更新することを特徴とする請求項１記載の画像形成装置。
【請求項３】
前記保管部が前記要求保持手段により保持された機能処理情報により更新待ちの状態、前記保管部に特定の機能処理情報が設定されている状態、前記保管部に特定の機能処理情報が設定されていない状態のいずれの状態であるかを判断する状態判断手段と、
前記状態判断手段によって判断された状態に応じて、前記保管部の表示態様を変更して表示部に表示する表示制御手段と、
を有することを特徴とする請求項２記載の画像形成装置。
【請求項４】
前記保管部に保管されている情報の管理情報を保持する管理情報保持手段と、
前記判断手段に情報が存在すると判断した場合、前記管理情報に基づいて前記情報のオーナに前記保管部に前記更新すべき機能処理情報を設定可能な状態に遷移させるための要求を通知する通知手段と、
を有することを特徴とする請求項１または３記載の画像形成装置。
【請求項５】
前記通知手段は、前記管理情報に基づいて前記情報のオーナに前記保管部に前記更新すべき機能処理情報を設定可能な状態に遷移させるため特定される保管部に保管された全情報を他の保管部に移動、あるいは削除させる操作を依頼する通知することを特徴とする請求項４記載の画像形成装置。
【請求項６】
前記通知手段は、特定される保管部に保管された全情報を他の保管部に移動、または削除されたことを通知することを特徴とする請求項４記載の画像形成装置。
【請求項７】
前記通知手段は、前記保管部に前記更新すべき機能処理情報に基づいて前記保管部に設定されたことを通知することを特徴とする請求項４記載の画像形成装置。
【請求項８】
保管部に設定されたイベントに基づき特定の機能処理情報に従う機能処理を実行可能な画像形成装置であって、
前記保管部に保管されている情報の管理情報を保持する管理情報保持手段と、
前記保管部に設定された特定の機能処理情報を更新する機能処理情報を設定する設定手段と、
前記設定手段により更新すべき機能処理情報が設定された場合に、前記特定の機能処理が設定された前記保管部に情報が存在するかどうかを判断する判断手段と、
前記判断手段に情報が存在すると判断した場合、前記更新すべき機能処理情報に基づいて前記保管部に設定されていた特定の機能処理を更新できないことを前記管理情報に従い更新要求者に通知する更新不可通知手段と、
を有することを特徴とする画像形成装置。
【請求項９】
前記更新不可通知手段は、特定される保管部に保管された全情報を他の保管部に移動、あるいは削除させる操作が必要であることを前記更新要求者に通知することを特徴とする請求項８記載の画像形成装置。
【請求項１０】
保管部に設定されたイベントに基づき特定の機能処理情報に従う機能処理を実行可能な画像形成装置であって、
前記保管部に保管されている情報の管理情報を保持する管理情報保持手段と、
前記保管部に設定された特定の機能処理情報を更新する機能処理情報を設定する設定手段と、
前記設定手段により更新すべき機能処理情報が設定された場合に、前記特定の機能処理が設定された前記保管部に情報が存在するかどうかを判断する判断手段と、
前記判断手段に情報が存在すると判断した場合、前記保管部に保管されている全情報に対して特定処理を実行して、前記更新すべき機能処理情報を設定可能な状態にする実行手段と、
前記実行手段により実行された特定処理の内容を前記管理情報に従い前記情報のオーナに通知する実行通知手段と、
を有することを特徴とする画像形成装置。
【請求項１１】
前記実行通知手段は、特定される保管部に保管された全情報を他の保管部に移動、あるいは削除したことを更新要求者に通知することを特徴とする請求項１０記載の画像形成装置。
【請求項１２】
保管部に設定されたイベントに基づき特定の機能処理情報に従う機能処理を実行可能な画像形成装置におけるデータ処理方法であって、
前記保管部に設定された特定の機能処理情報を更新する機能処理情報を設定する設定工程と、
前記設定工程により更新すべき機能処理情報が設定された場合に、前記特定の機能処理が設定された前記保管部にデータが存在するかどうかを判断する判断工程と、
前記判断工程が前記保管部にデータが存在すると判断した場合に、前記更新すべき機能処理情報に基づいて前記保管部に設定されていた特定の機能処理を更新せず、前記判断工程により前記保管部にデータが残存していないと判断された場合、前記更新すべき機能処理情報に基づいて前記保管部に設定されていた特定の機能処理を更新する更新工程と、
を有することを特徴とするデータ処理方法。
【請求項１３】
前記判断工程が前記保管部にデータが存在すると判断した場合、前記更新すべき機能処理情報を前記保管部内のデータ移動または削除されるまで保持する要求保持工程と、
前記判断工程により前記保管部に情報が残存していないと判断された場合、前記要求保持工程により保持された前記更新すべき機能処理情報に基づいて前記保管部に設定されていた特定の機能処理を前記更新工程が更新することを特徴とする請求項１２記載のデータ処理方法。
【請求項１４】
前記保管部が前記要求保持工程により保持された機能処理情報により更新待ちの状態、前記保管部に特定の機能処理情報が設定されている状態、前記保管部に特定の機能処理情報が設定されていない状態のいずれの状態であるかを判断する状態判断工程と、
前記状態判断工程によって判断された状態に応じて、前記保管部の表示態様を変更して表示部に表示する表示制御工程と、
を有することを特徴とする請求項１３記載のデータ処理方法。
【請求項１５】
前記判断工程に情報が存在すると判断した場合、前記保管部に保管されている情報の管理情報に基づいて前記情報のオーナに前記保管部に前記更新すべき機能処理情報を設定可能な状態に遷移させるための要求を通知する通知工程を有することを特徴とする請求項１２または１４記載のデータ処理方法。
【請求項１６】
前記通知工程は、前記管理情報に基づいて前記情報のオーナに前記保管部に前記更新すべき機能処理情報を設定可能な状態に遷移させるため特定される保管部に保管された全情報を他の保管部に移動、あるいは削除させる操作を依頼する通知することを特徴とする請求項１５記載のデータ処理方法。
【請求項１７】
前記通知工程は、特定される保管部に保管された全情報を他の保管部に移動、または削除されたことを通知することを特徴とする請求項１５記載のデータ処理方法。
【請求項１８】
前記通知工程は、前記保管部に前記更新すべき機能処理情報に基づいて前記保管部に設定されたことを通知することを特徴とする請求項１５記載のデータ処理方法。
【請求項１９】
保管部に設定されたイベントに基づき特定の機能処理情報に従う機能処理を実行可能な画像形成装置におけるデータ処理方法であって、
前記保管部に設定された特定の機能処理情報を更新する機能処理情報を設定する設定工程と、
前記設定工程により更新すべき機能処理情報が設定された場合に、前記特定の機能処理が設定された前記保管部に情報が存在するかどうかを判断する判断工程と、
前記判断工程に情報が存在すると判断した場合、前記更新すべき機能処理情報に基づいて前記保管部に設定されていた特定の機能処理を更新できないことを保管部に保管されている情報の管理情報に従い更新要求者に通知する更新不可通知工程と、
を有することを特徴とするデータ処理方法。
【請求項２０】
前記更新不可通知工程は、特定される保管部に保管された全情報を他の保管部に移動、あるいは削除させる操作が必要であることを前記更新要求者に通知することを特徴とする請求項１９記載のデータ処理方法。
【請求項２１】
保管部に設定されたイベントに基づき特定の機能処理情報に従う機能処理を実行可能な画像形成装置におけるデータ処理方法であって、
前記保管部に設定された特定の機能処理情報を更新する機能処理情報を設定する設定工程と、
前記設定工程により更新すべき機能処理情報が設定された場合に、前記特定の機能処理が設定された前記保管部に情報が存在するかどうかを判断する判断工程と、
前記判断工程に情報が存在すると判断した場合、前記保管部に保管されている全情報に対して特定処理を実行して、前記更新すべき機能処理情報を設定可能な状態にする実行工程と、
前記実行工程により実行された特定処理の内容を前記保管部に保管されている情報の管理情報に従い前記情報のオーナに通知する実行通知工程と、
を有することを特徴とするデータ処理方法。
【請求項２２】
前記実行通知工程は、特定される保管部に保管された全情報を他の保管部に移動、あるいは削除したことを更新要求者に通知することを特徴とする請求項２１記載のデータ処理方法。
【請求項２３】
請求項１２〜２２のいずれかに記載のデータ処理方法をコンピュータに実行させることを特徴とするプログラム。